(57)【要約】【課題】限られたスペースに複数のランプを配置することが可能になる技術を提供する。【解決手段】ほぼ平板状のベース部１２と、ベース部１２の平板面の第一の面１２ａに形成される第一のソケット部１３と、ベース部１２の第一の面１２ａと異なる平板面である第二の面１２ｂにおいて第一のソケット１２とほほ同軸の位置に形成される第二のソケット部１４と、第一のソケット部１３に取り付けられる第一の電球１５と、第二のソケット部１４に取り付けられる第二の電球１６と、を備える。【選択図】  図１
2006190599.tif 000002
【特許請求の範囲】
【請求項１】
ほぼ平板状のベース部と、
前記ベース部の平板面の第一の面に形成される第一のソケット部と、
前記ベース部の前記第一の面と異なる平板面である第二の面において前記第一のソケットとほほ同軸の位置に形成される、第二のソケット部と、
前記第一のソケット部に取り付けられる第一の電球と、
前記第二のソケット部に取り付けられる第二の電球と、を備えるランプ。
【請求項２】
前記第一のソケット部または第二のソケット部の少なくとも一方には、前記ベース部とほぼ平行に突出する係止片を有し、
前記ベース部の前記係止片側の表面と前記係止片の前記ベース部側の表面には、外部給電用の端子が露出している、請求項１に記載のランプ。
【請求項３】
ほぼ平板状のベース部と、
前記ベース部の平板面の第一の面に形成される第一のソケット部と、
前記ベース部の前記第一の面と異なる平板面である第二の面に形成される第二のソケット部と、を備え、
前記第一のソケット部及び第二のソケット部が、
電球を当該電球の端子側から挿入可能なバルブ挿入部と前記端子と電気的に接続するソケット側端子部とをそれぞれ有する、ランプソケット。
【発明の詳細な説明】
【技術分野】
【０００１】
本発明は、例えば自動車の車載用カーステレオやスイッチ関係の照明用の表示灯等で使用されるランプ及び電球を固定するソケットの技術に関する。
【背景技術】
【０００２】
従来から、小型の電球を用いたランプ（いわゆるネオウェッジベースランプとも称される）が知られている。
【０００３】
図３は、このような従来の小型電球を用いたランプ１の一例を示す図である。このランプ１は、外部と電気的に接続する端子を有するベース部２と、ベース部２の上に備えられガラス等の透光材料から成るバルブ３と、を備える。ランプ１は、回路の基板などに設けられた穴へバルブ３を挿入するようにして取り付けられる。
【０００４】
ランプ１は、バルブ３内に封入されたフィラメント（図示せず）から引き出されたバルブ３の端子とベース部２の端子とが接続している。そして、ランプ１は、フィラメントに対して外部からベース部２の端子とバルブ３の端子とを介して給電されることにより、フィラメントが赤熱して発光する。
【０００５】
なお、従来のこのようなランプに関する先行技術としては、例えば基板などに取り付けられた後も挟持力を維持する技術（例えば、特許文献１参照。）などが開示されている。
【特許文献１】特開平７−６５９１９号公報
【発明の開示】
【発明が解決しようとする課題】
【０００６】
しかしながら、上述した従来のランプには例えば以下のような問題があった。すなわち、従来のランプを用いた場合には、一つのランプにはバルブが一つというのが一般的であった。そのため、従来のランプは、ランプを取り付けた基板の両面から照射するような用途では、基板の一方の面に向けたランプと他方の面に向けたランプとを同軸上に配置することは困難であった。このような場合には、従来のランプは、基板のそれぞれ別の位置に取り付けなければならなかった。
【０００７】
また、従来のランプは、上述のように基板の両面から照射するような用途以外、例えば限られた設置スペースに複数のバルブを設けて光量を確保するような用途においても、複数のランプを併置させなければならなかった。
【０００８】
従って、従来のランプは、複数の光源が必要な場合に小型で少ないスペースに設置可能であるという利点を活用しきれないという問題があった。
【０００９】
本発明は上記事項に鑑みられてなされたものである。すなわち、その課題は、限られたスペースに複数のランプを配置することが可能になる技術を提供することである。
【課題を解決するための手段】
【００１０】
本発明は上記課題を解決するため、以下の手段とした。
【００１１】
すなわち、本発明は、ほぼ平板状のベース部と、前記ベース部の平板面の第一の面に形成される第一のソケット部と、前記ベース部の前記第一の面と異なる平板面である第二の面において前記第一のソケットとほほ同軸の位置に形成される第二のソケット部と、前記第一のソケット部に取り付けられる第一の電球と、前記第二のソケット部に取り付けられる第二の電球と、を備える。
【００１２】
本発明は、一つの平板状のベース部を有するランプの２つの平板部分に対して、それぞれソケット部分とそれに対応するバルブとを設けた。
【００１３】
従って、本発明によれば、限られたスペースに複数のランプを配置することが可能になる技術を提供することができる。
【００１４】
また、本発明は、前記第一のソケット部または第二のソケット部の少なくとも一方には、前記ベース部とほぼ平行に突出する係止片を有し、前記ベース部の前記係止片側の表面と前記係止片の前記ベース部側の表面には、外部給電用の端子が露出しているようであってもよい。
【００１５】
このようにすれば、本発明は、基板の両面を照射する用途に用いる場合に容易かつ確実に基板に取り付けることができる。
【発明の効果】
【００１６】
以上のように、本発明によれば、限られたスペースに複数のランプを配置することが可能になる技術を提供することができる。
【発明を実施するための最良の形態】
【００１７】
以下、図面を参照して本発明を実施するための最良の形態について説明する。以下の実施の形態の構成は例示であり、本発明は実施の形態の構成に限定されない。
【００１８】
図１は、本発明のランプの一実施の形態であるネオウェッジベースランプ（以下、単にランプ１０とする）を示す図である。図１のようにランプ１０は、ベース部１２、第１ソケット部１３、第２ソケット部１４、第１バルブ１５、第２バルブ１６、及び外部給電端子１７（１７ａ，１７ｂ）を有する。
【００１９】
ベース部１２は、ほぼ平板上に形成され、基板などの取り付け対象部材にランプ１０を取り付ける際の基盤となる。
【００２０】
第１ソケット部１３及び第２ソケット部１４は、ベース部１２上に形成されており、ベース部１２とは反対側の面に開口部分を持ちほぼ円筒状の形状をなしている。そして、第１ソケット部１３及び第２ソケット部１４は、上記開口部分に第１バルブ１５及び第２バルブ１６の発光部分が露出するようにして保持する。このとき、第１バルブ１５及び第２バルブ１６は、第１ソケット部１３及び第２ソケット部１４に固着されている。
【００２１】
第１ソケット部１３は、ベース部１２に２面ある平板面１２ａ，１２ｂのうち、第１の平板面１２ａに形成される。また、第２ソケット部１４は、ベース部１２の２つの平板面１２ａ，１２ｂのうち、第１の平板面１２ａとは異なる第２の平板面１２ｂに形成される。
【００２２】
図１にも示されるように、上記第１ソケット部１３と第２ソケット部１４との位置関係は、それぞれが同一の中心線ｓ上にあるように定められる。すなわち、第１ソケット部１３と第２ソケット部１４とは、同軸を中心線として互いに表裏面（反対側）の位置にあるように形成される。
【００２３】
また、第１ソケット部１３または第２ソケット部１４の少なくとも何れか一方には、係止片１８が形成される。この係止片１８は、ベース部１２とほぼ平行の方向に突出して形成される。
【００２４】
第１バルブ１５及び第２バルブ１６は、上述のバルブ３と同様にガラス等の透光材料から成る。また、第１バルブ１５及び第２バルブ１６の内部には、接続端子(不図示)の先端部分に接続されたフィラメント（不図示）を有する。
【００２５】
ベース部１２の表面には上記接続端子と接続する外部給電端子１７ａが露出している。また、係止片１８のベース部と対向する側にも上記接続端子と接続する外部給電端子１７ｂが露出している。そして、ランプ１０は、ベース部１２の外部給電端子１７ａと係止片１８の外部給電端子１７ｂとを介して外部の電源（不図示）からフィラメントに給電される。これにより、ランプ１０は、フィラメントが赤熱して発光し、第１バルブ１５及び第２バルブ１６が点灯する。
【００２６】
＜取り付け例＞
図２は、以上説明したランプ１０を実装した場合の一例を示す側面図である。ランプ１０は、ベース部１２を介して基板２０に取り付けられている。基板２０には、係止片１８及び第１ソケット部１３が通過可能でありベース部１２より小さい径を有する、取り付け穴２１が開口している。そして、基板２０における取り付け穴２１の開口部周辺の表面には、電源(不図示)に接続している基板表面端子（不図示）が設けられている。
【００２７】
上記の取り付け例において、ランプ１０は、基板２０に設けられた取り付け穴２１に第１ソケット部１３を挿入して軸方向に回転するようにする。このようにすることで、ランプ１０は、基板２０の一方の平面部２０ａとベース部１２とが当接し他方の平板部２０ｂと係止片１８とが当接して、基板２０に固定される。また、基板２０の表面には、ランプ１０の外部給電端子１７ａ，１７ｂと接する位置に基板表面端子が設けられている。このため、ランプ１０は、基板表面端子と外部給電端子１７ａ，１７ｂとが接続した状態で基板２０に固定される。
【００２８】
図２に示したような取り付けができるため、ランプ１０は、基板に取り付けて同軸上の表裏面において点灯させるような用途において有用な技術である。
【００２９】
また、ランプ１０は、このような用途以外にも、限られた設置スペースに複数の光源を配置する必要がある様々な用途に利用可能な技術である。
【００３０】
＜その他の実施例＞
本実施の形態では、本発明の一実施例として予めバルブがソケットに組み込まれたランプについての説明を行った。しかしながら、本発明はこれに限定されない。例えば、本発明は、バルブが着脱可能なソケットであってもよい。
【００３１】
本発明がソケットの場合であっても、上述の実施の形態におけるランプ１０と異なるのは、第１バルブ１５及び第２バルブ１６が第１ソケット部１３及び第２ソケット部１４に固着されず、開口部分がバルブ挿入部となってそこからバルブが着脱可能となるため、この開口部分内にバルブとソケットを電気的に接続する端子を有する点のみである。これらの相違点は、一般の既存のソケットと同様であるため、本発明のソケットに係る説明は省略する。また、本発明のランプは、端子数が上述のように一対の例に限られるものではなく、例えば３端子以上設けてもよい。
【産業上の利用可能性】
【００３２】
本発明は、以上の本発明の好適な実施の形態に限定されず、限られた設置スペースに複数のバルブを設けて光量を確保するような場合（例えば提灯や行灯などの光源）にも利用することが可能である。
【図面の簡単な説明】
【００３３】
【図１】本発明のランプの一実施の形態であるネオウェッジベースランプ（ランプ）を示す図である。
【図２】ランプを実装した場合の一例を示す側面図である。
【図３】従来の小型電球を用いたランプの一例を示す図である。
【符号の説明】
【００３４】
１    ランプ
２    ベース部
３    バルブ
１０    ランプ
１２    ベース部
１２ａ    平板面
１２ｂ    平板面
１３    第１ソケット部
１４    第２ソケット部
１５    第１バルブ
１６    第２バルブ
１７    端子
１８    係止片
２０    基板
２１    取り付け穴
【図１】
2006190599.tif 000003
【図２】
2006190599.tif 000004
【図３】
2006190599.tif 000005